(57)【要約】【課題】リビングに設けられた開口部に、階上につながるリビング階段が設けられるリビング構造の空調効率を向上させる。【解決手段】リビング２に設けられた開口部３に、階上につながるリビング階段４が設けられたリビング構造１である。開口部には、開口部３の一側縁に固着されたベース部１２と、該ベース部１２に収納可能かつ引き出されることにより開口部３を閉じるスクリーン部１３とからなる非建具の遮蔽装置１１が設けられる。【選択図】図２
2010071051.tif 000002
【特許請求の範囲】
【請求項１】
リビングに設けられた開口部に、階上につながるリビング階段が設けられたリビング構造であって、
前記開口部の一側縁に固着されたベース部と、該ベース部に収納可能かつ引き出されることにより前記開口部を閉じるスクリーン部とからなる非建具の遮蔽装置を具えることを特徴とするリビング構造。
【請求項２】
前記ベース部は、前記開口部の天井面又は壁面に固着される請求項１に記載のリビング構造。
【請求項３】
前記スクリーン部は、ロール状又はプリーツ状でベース部に収納される請求項１又は２記載のリビング構造。
【請求項４】
前記開口部に、前記スクリーン部を引き出した状態で保持する係止部が設けられる請求項１ないし３のいずれかに記載のリビング構造。
【請求項５】
前記スクリーン部に、該スクリーン部を引き出した状態で保持する係止部が設けられる請求項１ないし３の何れかに記載のリビング構造。
【発明の詳細な説明】
【技術分野】
【０００１】
本発明は、空調効率に優れるリビング構造に関する。
【背景技術】
【０００２】
リビングに設けられた開口部に、階上につながるリビング階段が設けられたリビング構造が知られている。このようなリビング構造は、居住者が階上へ移動する際にリビングを通る必要があるため、居住者間のコミュニケーションの活性化に役立つ。
【０００３】
しかしながら、このようなリビング構造は、リビングと階上とがリビング階段によって連通しているため、リビングと階上との間で空気の流れが発生する。このため、リビングの空調効率を悪化させる問題があった。特に冬場では、暖房によって暖められたリビングの空気が階上へ流れる一方、階上の冷たい空気がリビングへ流れる。このような空気の流れによって、リビングを効率的に暖めることができないという問題があった。
【０００４】
また、リビング階段の開口部に引き戸等の建具を取り付けることによって、階上とリビングとの空気の流れを遮り、空調効率を向上させることができる。しかしながら、このような建具を取り付けるには、開口部近傍の壁に戸袋等を作る必要があるが、プレハブ等の規格化住宅のプランニングによっては、そのような施工が出来ない場合が多々ある。
【０００５】
なお、建具に関連する文献としては、次のものがある。
【０００６】
【特許文献１】特開２００６−１１４０２号公報
【発明の開示】
【発明が解決しようとする課題】
【０００７】
本発明は、以上のような実状に鑑み案出されたもので、リビング階段に通じるリビングの開口部の一側縁に固着されたベース部と、該ベース部に収納可能かつ引き出されることにより開口部を閉じるスクリーン部とからなる非建具の遮蔽装置を具えることを基本として、空調効率に優れるリビング構造を提供することを主たる目的としている。
【課題を解決するための手段】
【０００８】
本発明のうち請求項１記載の発明は、リビングに設けられた開口部に、階上につながるリビング階段が設けられたリビング構造であって、前記開口部の一側縁に固着されたベース部と、該ベース部に収納可能かつ引き出されることにより前記開口部を閉じるスクリーン部とからなる非建具の遮蔽装置を具えることを特徴とする。
【０００９】
また請求項２記載の発明は、前記ベース部は、前記開口部の天井面又は壁面に固着される請求項１に記載のリビング構造である。
【００１０】
また請求項３記載の発明は、前記スクリーン部は、ロール状又はプリーツ状でベース部に収納される請求項１又は２記載のリビング構造である。
【００１１】
また請求項４記載の発明は、前記開口部に、前記スクリーン部を引き出した状態で保持する係止部が設けられる請求項１ないし３のいずれかに記載のリビング構造である。
【００１２】
また請求項５記載の発明は、前記スクリーン部に、該スクリーン部を引き出した状態で保持する係止部が設けられる請求項１ないし３の何れかに記載のリビング構造である。
【発明の効果】
【００１３】
本発明のリビング構造は、開口部の一側縁に固着されたベース部と、該ベース部に収納可能かつ引き出されることにより開口部を閉じるスクリーン部とからなる非建具の遮蔽装置を具える。このような遮蔽装置は、リビングと階上との空気の流れを遮ることができるので、空調効率を向上しうる。しかも、遮蔽装置は、引き戸等のような建具ではないため、プランニングに拘わらず、開口部へ容易に取付けうる。
【発明を実施するための最良の形態】
【００１４】
以下、本発明の実施の一形態が図面に基づき説明される。図１には、本実施形態のリビング構造の平面図、図２には、そのリビング階段の開口部を示す正面図が示される。
【００１５】
図１に示されるように、リビング構造１には、リビング２に設けられる開口部３に、階上につながるリビング階段４が設けられる。このリビング２は、例えば、吹抜けによって階上と連通されるものではなく、開口部３からリビング階段４を経て階上に連通される。
【００１６】
図２に示されるように、開口部３は、リビング２の壁面９を貫通して形成される。本実施形態の開口部３は、図において、天井面５、床面６、左の壁面７及び右の壁面８によって略矩形状に形成される。
【００１７】
本発明の開口部３には、該開口部３を閉じる遮蔽装置１１が設けられる。遮蔽装置１１は、開口部３の一側縁に固着されたベース部１２と、該ベース部１２に収納されるスクリーン部１３とを有する。なお、本実施形態の一側縁は、開口部３の左の壁面７である。
【００１８】
図３に示されるように、本実施形態のベース部１２は、その内部が中空状に形成され、断面略矩形状の長尺状の枠体からなる。ベース部１２は、その長手方向を垂直にして、左の壁面７に固着される。ベース部１２の長手方向の長さＬ１は、開口部３の高さである天井面５から床面６までの長さＬ２と、略同一が好ましい。これにより、ベース部１２は、天井面５や床面６との間に隙間を形成することなく固着できる。
【００１９】
本実施形態のベース部１２には、その長手方向にのびて該ベース部１２の内外を貫通するスリット部１４が設けられる。また、ベース部１２の内部には、その長手方向にのびる固定軸１５と、該固定軸１５を内挿する略円筒状の巻取筒１６と、該固定軸１５の両端を固定するとともに巻取筒１６を回転可能に支持する支持片１９とが設けられる。
【００２０】
また、固定軸１５と巻取筒１６との間には、例えば、金属線を螺旋状に巻いたコイルばね１７が設けられる。このコイルばね１７は、例えば、一端が該固定軸１５に固着されるとともに、他端が該巻取筒１６に固着される。コイルばね１７は、該コイルばね１７の径が小さくなる向きに巻取筒１６を回転されると、元の径に戻ろうとする弾性復帰力が生じる。この弾性復帰力によって、コイルばね１７は、巻取筒１６を逆向きに回転させる。
【００２１】
本実施形態のスクリーン部１３は、その幅が巻取筒１６の長手方向と略同一の長さを有する１枚のシート状に形成される。スクリーン部１３の一端は、スリット部１４からベース部１２内に挿通させて巻取筒１６に固着される。スクリーン部１３は、コイルばね１７の弾性復帰力によって該巻取筒１６にロール状に巻かれ、ベース部１２の内部に収納される。また、スクリーン部１３は、ベース部１２から引き出されることにより、開口部３を閉じることができる。
【００２２】
スクリーン部１３は、例えば、綿等の天然繊維の他、例えば、気密性に優れる塩化ビニール等の合成樹脂シートや、ゴムシート等が採用できる。また、スクリーン部１３には、吸湿性及び保温性に優れる紙材料から形成されてもよい。さらに、スクリーン部１３には、例えばウレタン等の防音材や断熱材を複合させることもできる。
【００２３】
また、スクリーン部１３には、その上下端に、例えば緻密で弾力性に富む毛足を有するモヘア等の繊維材（図示省略）が配されてもよい。このような繊維材は、開口部３とスクリーン部１３との隙間を減じるのに役立つ。
【００２４】
スクリーン部１３の他端には、例えば断面略Ｔ字状のハンドルバー１８が設けられる。このハンドルバー１８の端部の幅Ｌ３は、スリット部１４の幅Ｌ４よりも大きく形成される。これにより、ハンドルバー１８は、スクリーン部１３が巻き取られても、スリット部１４からベース部１２内に引き込まれることが防止される。
【００２５】
本実施形態のスクリーン部１３には、該スクリーン部１３をベース部１２から引き出した状態で保持する係止部２１が設けられる。図４に拡大して示されるように、本実施形態の係止部２１は、ハンドルバー１８に形成される基部２２と、該基部２２内をスクリーン部１３に対して垂直方向にのびかつ回転可能に支持される回転軸２３と、該回転軸２３の両端に固着されるツマミ２４、２４と、一端が回転軸２３に固着されるとともに他端にカギ爪部２６が形成される係止金具２５とから構成される。
【００２６】
基部２２は、例えば、ハンドルバー１８の垂直方向の略中央位置に設けられ、その端面２２Ｓで開口する空隙部２８が形成される。この空隙部２８は、係止金具２５を基部２２内に収納できる大きさを有する。また、その端面２２Ｓとハンドルバー１８の端面１８Ｓとは、同一面状に形成される。
【００２７】
ツマミ２４は、リビング２側及びリビング階段４側にそれぞれ形成され、何れか一方のツマミ２４を回転させることによって、回転軸２３を時計回り、反時計回りに回動できる。この回転軸２３の回動によって、係止金具２５は、該回転軸２３を中心に回動できる。
【００２８】
また、開口部３の右の壁面８の近傍、かつリビング２側の壁面９には、例えば、係止部２１と略同一の高さの位置に、カギ爪部２６の幅より大きい突出長さの突出部２７が設けられる。また、突出部２７は、ハンドルバー１８が右の壁面８に密着された状態において、係止金具２５と係合する位置に設けられる。
【００２９】
以上のように構成された遮蔽装置１１の作用について説明する。
ここで、係止部２１の作用について説明する。
図５（ａ）に示されるように、係止金具２５は、その自重によって空隙部２８に収納される。図５（ｂ）に示されるように、ツマミ２４を図において反時計回りに回転させると、回転軸２３は、反時計回りに回動する。この回転軸２３の回動によって、係止金具２５は、該回転軸２３を中心に反時計回りに回動し、カギ爪部２６が空隙部２８から出される。このとき、カギ爪部２６は、突出部２７よりも高いところに位置される。
【００３０】
図５（ｃ）に示されるように、例えば、ハンドルバー１８又はツマミ２４を掴んで右の壁面８側へ引くと、スクリーン部１３は、ベース部１２から引き出され、ハンドルバー１８と右の壁面８とが密着される。基部２２の端面２２Ｓとハンドルバー１８の端面１８Ｓとは、同一面状に形成されるので、右の壁面８とスクリーン部１３との間に隙間が形成されない。
【００３１】
ツマミ２４が時計回りに回動されると、係止金具２５は、突出部２７の上に位置する。係止金具２５は、カギ爪部２６によって突出部２７に係合される。これにより、係止部２１は、図６に示されるように、スクリーン部１３を引き出した状態で保持できる。
【００３２】
また、ツマミ２４を反時計回りに回転されると、係止金具２５は、突出部２７との係合が解除される。図２に示されるように、スクリーン部１３は、コイルばね１７の弾性復帰力によって、ベース部１２に収納される。
【００３３】
このように、本発明のリビング構造１は、遮蔽装置１１によって、リビング階段４の開口部３を閉じることができる。これにより、遮蔽装置１１は、リビング２と階上との間で生じる空気の流れを遮ることができるので、空調効率を向上できる。
【００３４】
しかも、遮蔽装置１１は、引き戸等のような建具ではないため、例えば、開口部３に引き戸等を後付けできないプレハブ等の規格化住宅のプランニングに拘わらず、遮蔽装置１１を開口部３へ容易に取付けうる。
【００３５】
また、本実施形態では、スクリーン部１３に係止部２１が設けられるので、該スクリーン部１３を引き出した状態を強固に維持できる。これにより、遮蔽装置１１は、乳幼児がリビング階段４に侵入することを防ぐ防護柵としても使用できる。
【００３６】
また、本実施形態のリビング構造１には、例えば、開口部３の天井面５及び床面６に、スクリーン部１３の上下縁を案内する案内部（図示省略）等が設けられてもよい。このような案内部は、スクリーン部１３をベース部１２に安定して収納、又は引き出すことができる。しかも、案内部は、天井面５とスクリーン部１３との間や、床面６とスクリーン部１３との間の隙間を減少できるため、空調効率をさらに向上できる。
【００３７】
図７（ａ）には、他の実施形態の遮蔽装置１１が示される。本実施形態の遮蔽装置１１は、ベース部１２が、開口部３の天井面５に固着される。スクリーン部１３は、上下動させることによって、ベース部１２に収納又は引き出される。図７（ｂ）に示されるように、スクリーン部１３が下方へ引き出されることによって、開口部３を閉じうる。なお、ベース部１２の構造は、図３に示したものと同一である。このとき、例えばベース部１２の支持片１９には、巻取筒１６の回転を任意に止めるラチェット機構等が設けられてもよい。これにより、スクリーン部１３を任意の高さまで下方へ引き出して保持できる。
【００３８】
本実施形態のリビング構造１にも、係止部２１が設けられてもよい。図８に示されるように、本実施形態のハンドルバー１８の両端近傍には、その下端を切り欠いて形成される凹部３１と、該凹部３１内を水平方向にのびるピン３２とが設けられる。なお、係止部２１は、このピン３２を係止する。
【００３９】
係止部２１は、ピン３２の下方に対応する開口部３の床面６に設けられる。係止部２１は、床面６に固着される中空状の外枠３３と、該外枠３３の内部でピン３２を係止又は離脱させうる一対の係合部３４とから形成される。
【００４０】
外枠３３は、例えば、１つの底面４５と、一対の傾斜面４６と、その傾斜面４６の上方に隙間３５とを有する断面略三角形状に成形される。また、各傾斜面４６の上端には、それぞれ隙間３５側に向かって下方へかつ円弧状に折り曲がる湾曲片３８が形成される。
【００４１】
外枠３３の幅は、凹部３１の幅よりも小さく形成されるので、外枠３３を、凹部３１内に挿入できる。また、隙間３５の長さＬ６（図９に示す）は、ピン３２の径Ｌ５（図９に示す）よりも大きく形成される。これにより、隙間３５は、ピン３２を外枠３３の内外に通過させることができる。
【００４２】
本実施形態の係合部３４は、隙間３５を挟んで向き合って設けられる。各係合部３４は、底面４５側から各湾曲片３８にのびる立片３６と、この立片３６の下端から各傾斜面４６の孔部４７を貫通し外部へとのびるレバー部３７とを有する側面視が略Ｖ字状に形成される。係合部３４の下端には、蝶番４１が設けられ、底面４５上に傾動可能に固定される。また、各係合部３４、３４は、立片３６と外枠３３の底面とに固着されるバネ材４２によって、隙間３５側に付勢される。
【００４３】
各立片３６の上端には、隙間３５に向かって折曲がる爪部４３が形成される。この爪部４３は、バネ材４２の付勢によって、湾曲片３８の内面に当接される。また、爪部４３は、湾曲片３８の内面に当接した状態において、爪部４３、４３間の隙間Ｌ７が、ピン３２の径Ｌ５よりも小さく形成される。また、各レバー部３７の端部には、例えば、足の踏込みによって係合部３４を傾動させるペダル部４４が固定される。
【００４４】
このような実施形態の係止部２１の作用について説明する。
スクリーン部１３をベース部１２から引き出して開口部３を閉じると、係止部２１が凹部３１に挿入される。これにより、図９（ａ）に示されるように、ピン３２が、隙間３５（図８に示す）内に挿入される。
【００４５】
係合部３４は、ピン３２の挿入によって、バネ材４２（図８に示す）の付勢に逆らう向きへ傾動し、ピン３２を爪部４３の下部へ案内する。ピン３２が爪部４３の下部に位置すると、爪部４３は、バネ材４２の付勢によって、湾曲片３８の内面に当接する位置まで復元する。ピン３２の径Ｌ５が爪部４３、４３間の隙間Ｌ７よりも大きいため、ピン３２は、爪部４３に係合保持される。
【００４６】
そして、例えば図９（ｂ）に示されるように、リビング２側のペダル部４４を押し下げると、リビング２側の係合部３４は、バネ材４２の付勢に逆らう向きに傾動する。これにより、リビング階段４側の爪部４３とリビング２側の湾曲片３８との間に、ピン３２の径Ｌ５より大きい寸法Ｌ８の隙間が形成されるため、コイルばね１７の弾性復帰力による上方への付勢によって、ピン３２と爪部４３との係合が解除される。これにより、スクリーン部１３は、ベース部１２に収納される。
【００４７】
図９（ｃ）に示されるように、リビング階段４側のペダル部４４を押し下げても同様にピン３２は、爪部４３との係合が解除される。
【００４８】
このように、係止部２１は、リビング２側及びリビング階段４側のどちらからでも、ピン３２と爪部４３との係合を、ペダル部４４の足踏み操作によって解除できる。従って、本実施形態の係止部２１によって、居住者は、床面６へしゃがむことなく、起立状態でスクリーン部１３をベース部１２に収納できる。これは、リビング階段４側からの操作に特に便利である。
【００４９】
図１０には、他の実施形態の係止部２１が示される。この係止部２１は、例えば、ハンドルバー１８のリビング２側の両端にそれぞれ設けられ、公知のスライド錠に形成される。係止部２１は、例えば、筒状のガイド部５７を有するシリンダ部材５２と、該ガイド部５７内をハンドルバー１８の両端から水平方向へ突出可能にスライドするピン５４と、該ピン５４からリビング２及びリビング階段４へ突出しかつ該ピン５４をスライド操作しうるツマミ５５とから形成される。
【００５０】
このような係止部２１は、ピン５４がリビング２側の壁面９に設けられる嵌合金具５６に挿入することによって係合保持され、スクリーン部１３を引き出した状態で保持できる。
【００５１】
図１１に示されるように、スクリーン部１３をプリーツ状でベース部１２に収納されるように形成してもよい。スクリーン部１３がプリーツ状に形成されることによって、例えばリビング階段４に設けられる窓等からリビング２に注がれる強い日差しを拡散させて、柔らかな光に変化させることができる。
【００５２】
以上、本発明の特に好ましい形態について詳述したが、本発明は図示の実施形態に限定されることなく、種々の態様に変形して実施し得る。
【図面の簡単な説明】
【００５３】
【図１】リビング構造の一形態を示す平面図である。
【図２】そのリビング階段の開口部に遮蔽装置が具えられた状態を示す正面図である。
【図３】その遮蔽装置を拡大して示す斜視図である。
【図４】その係止部を拡大して示す斜視図である。
【図５】（ａ）は係止金具が空隙部に収納された状態、（ｂ）はカギ爪部が空隙部２８から出された状態、（ｃ）は、カギ爪部を突出部に係止された状態を模式的に示す正面図である。
【図６】係止部がスクリーン部を引き出した状態で保持する状態を示す正面図である。
【図７】（ａ）は他の実施形態の遮蔽装置を示す正面図、（ｂ）はそのスクリーン部を引き出した状態を示す正面図である。
【図８】他の実施形態の係止金具を拡大して示す斜視図である。
【図９】（ａ）はピンを隙間部に挿入した状態、（ｂ）はリビング側のペダルを押し下げた状態、（ｃ）はリビング階段側のペダルを押し下げた状態を模式的に示す図である。
【図１０】他の実施形態の係止金具を示す斜視図である。
【図１１】他の実施形態の遮蔽装置を示す正面図である。
【符号の説明】
【００５４】
１  リビング構造
３  開口部
４  リビング階段
１１  遮蔽装置
１２  ベース部
１３  スクリーン部
【図１】
2010071051.tif 000003
【図２】
2010071051.tif 000004
【図３】
2010071051.tif 000005
【図４】
2010071051.tif 000006
【図５】
2010071051.tif 000007
【図６】
2010071051.tif 000008
【図７】
2010071051.tif 000009
【図８】
2010071051.tif 000010
【図９】
2010071051.tif 000011
【図１０】
2010071051.tif 000012
【図１１】
2010071051.tif 000013